(57)【要約】【課題】適切なタイミングで被写体を撮像することを容易にするディジタルカメラを提供する。【解決手段】音源データを記憶する記憶手段と、押しボタンと、押しボタンが中間位置に押し込まれると撮像準備信号を出力し押しボタンが完全に押し込まれると撮像開始信号を出力するセンサ部とを有する撮像指示手段と、センサ部から撮像準備信号が出力されると（Ｓ１０５）、記憶手段に記憶された音源データを再生し放音する放音手段と（Ｓ１１０）、センサ部から撮像開始信号が出力されると（Ｓ１１５）、被写体を撮像してディジタル画像を出力する撮像手段と（Ｓ１２０）、を備える。【選択図】  図１
2005005842.tif 000002
【特許請求の範囲】
【請求項１】
音源データを記憶する記憶手段と、
押しボタンと、前記押しボタンが中間位置に押し込まれると撮像準備信号を出力し前記押しボタンが完全に押し込まれると撮像開始信号を出力するセンサ部とを有する撮像指示手段と、
前記センサ部から撮像準備信号が出力されると前記記憶手段に記憶された音源データを再生し放音する放音手段と、
前記センサ部から撮像開始信号が出力されると被写体を撮像してディジタル画像を出力する撮像手段と、
を備えることを特徴とするディジタルカメラ。
【請求項２】
音源データを記憶する記憶手段と、
前記記憶手段に記憶された音源データを再生し放音する放音手段と、
前記放音手段に放音開始を指示するための放音指示手段と、
撮像開始を指示するための撮像指示手段と、
光学系及びイメージセンサを有し、前記撮像指示手段によって撮像開始が指示されると被写体を撮像してディジタル画像を出力する撮像手段と、
前記放音指示手段によって放音開始が指示されると被写体の動きに追従して前記光学系を駆動し被写体に焦点を合わせる焦点制御手段と、
を備えることを特徴とするディジタルカメラ。
【請求項３】
前記放音手段は、前記撮像指示手段によって撮像開始が指示されるまで音源データを繰り返し再生することを特徴とする請求項１又は２に記載のディジタルカメラ。
【請求項４】
前記放音手段は、動物の鳴き声の音源データを記憶していることを特徴とする請求項１、２又は３に記載のディジタルカメラ。
【請求項５】
前記記憶手段は、人間の可聴域外で動物の可聴域内の音の音源データを記憶していることを特徴とする請求項１、２又は３に記載のディジタルカメラ。
【請求項６】
前記記憶手段に記憶された複数の音源データのいずれかを選択する選択手段をさらに備え、
前記放音手段は、前記センサ部から撮像準備信号が出力されると前記選択手段によって選択された音源データを再生し放音することを特徴とする請求項１〜５のいずれか一項に記載のディジタルカメラ。
【請求項７】
前記記憶手段に記憶される音源データを編集する手段をさらに備えることを特徴とする請求項１〜６のいずれか一項に記載のディジタルカメラ。
【請求項８】
押しボタンと、前記押しボタンが中間位置に押し込まれると撮像準備信号を出力し前記押しボタンが完全に押し込まれると撮像開始信号を出力するセンサ部とを有する撮像指示手段と、
前記センサ部から撮像準備信号が出力されると被写体に向けて発光する発光手段と、
前記センサ部から撮像開始信号が出力されると被写体を撮像してディジタル画像を出力する撮像手段と、
を備えることを特徴とするディジタルカメラ。
【請求項９】
被写体に向けて発光する発光手段と、
前記発光手段に発光開始を指示するための発光指示手段と、
撮像開始を指示するための撮像指示手段と、
光学系及びイメージセンサを有し、前記撮像指示手段によって撮像開始が指示されると被写体を撮像してディジタル画像を出力させる撮像手段と、
前記発光指示手段によって発光開始が指示されると被写体の動きに追従して前記光学系を駆動し被写体に焦点を合わせる焦点制御手段と、
を備えることを特徴とするディジタルカメラ。
【請求項１０】
前記発光手段は、前記撮像指示手段によって撮像開始が指示されるまで繰り返し発光することを特徴とする請求項８又は９に記載のディジタルカメラ。
【請求項１１】
音源データを記憶する記憶手段と、
押しボタンと、前記押しボタンが中間位置に押し込まれると撮像準備信号を出力し前記押しボタンが完全に押し込まれると撮像開始信号を出力するセンサ部とを有する撮像指示手段と、
前記センサ部から撮像準備信号が出力されると前記記憶手段に記憶された音源データを再生し放音する放音手段と、
前記センサ部から撮像開始信号が出力されると被写体を撮像する撮像手段と、を備えることを特徴とするフィルムカメラ。
【請求項１２】
音源データを記憶する記憶手段と、
前記記憶手段に記憶された音源データを再生し放音する放音手段と、
前記放音手段に放音開始を指示するための放音指示手段と、
撮像開始を指示するための撮像指示手段と、
光学系を有し、前記撮像指示手段によって撮像開始が指示されると前記光学系を介して入射する光に記録媒体を感光させる撮像手段と、
前記放音指示手段によって放音開始が指示されると被写体の動きに追従して前記光学系を駆動し被写体に焦点を合わせる焦点制御手段と、
を備えることを特徴とするフィルムカメラ。
【請求項１３】
押しボタンと、前記押しボタンが中間位置に押し込まれると撮像準備信号を出力し前記押しボタンが完全に押し込まれると撮像開始信号を出力するセンサ部とを有する撮像指示手段と、
前記センサ部から撮像準備信号が出力されると被写体に向けて発光する発光手段と、
前記センサ部から撮像開始信号が出力されると被写体を撮像する撮像手段と、を備えることを特徴とするフィルムカメラ。
【請求項１４】
被写体に向けて発光する発光手段と、
前記発光手段に発光開始を指示するための発光指示手段と、
撮像開始を指示するための撮像指示手段と、
光学系を有し、前記撮像指示手段によって撮像開始が指示されると前記光学系を介して入射する光に記録媒体を感光させる撮像手段と、
前記発光指示手段によって発光開始が指示されると被写体の動きに追従して前記光学系を駆動し被写体に焦点を合わせる焦点制御手段と、
を備えることを特徴とするフィルムカメラ。
【発明の詳細な説明】
【０００１】
【発明の属する技術分野】
本発明はディジタルカメラ及びフィルムカメラに関する。
【０００２】
【従来の技術】
従来、放音により被写体の興味を引きつけるスピーカを備え、予め決められたタイミングの撮像を可能にするディジタルカメラが知られている（例えば特許文献１参照。）。
特許文献１には、被写体の興味を引きつける音を出力し、音の再生中の予め決められたタイミングで被写体を撮像するディジタルカメラが開示されている（段落００５１〜００５５）。また特許文献１には、シャッタ制御部から送られるコマンドに連動して音の再生が開始されるディジタルカメラが開示されている（段落００４６）。
【０００３】
【特許文献１】
特開２００２−３３０３２７号公報
【０００４】
【発明が解決しようとする課題】
しかし、音の再生中の予め決められたタイミングで撮像する場合、そのタイミングとシャッターチャンスが一致する保証がないため、不適切なタイミングで撮像が行われるおそれがある。
また、シャッタ制御部から送られるコマンドに連動して音の再生が開始される場合であっても、放音開始から撮像までの時間間隔は必然的に予め設定された長さになるため、不適切なタイミングで撮像が行われるおそれがある。
【０００５】
本発明は、これらの問題を解決するために創作されたものであって、適切なタイミングで被写体を撮像することを容易にするディジタルカメラ及びフィルムカメラを提供することを目的とする。
【０００６】
【課題を解決するための手段】
上記目的を達成するため、本発明に係るディジタルカメラは、音源データを記憶する記憶手段と、押しボタンと、前記押しボタンが中間位置に押し込まれると撮像準備信号を出力し前記押しボタンが完全に押し込まれると撮像開始信号を出力するセンサ部とを有する撮像指示手段と、前記センサ部から撮像準備信号が出力されると前記記憶手段に記憶された音源データを再生し放音する放音手段と、前記センサ部から撮像開始信号が出力されると被写体を撮像してディジタル画像を出力する撮像手段と、を備えることを特徴とする。撮像開始を指示するための押しボタンが中間位置に押し込まれたタイミングで放音し、押しボタンが完全に押し込まれたタイミングで被写体を撮像することにより、放音開始から撮像までの時間間隔を被写体の動きに応じてユーザが調整できるようになる。また、押しボタンの押し込み量を増大させるという連続的な操作によって放音開始から撮像までの時間間隔を調整させることにより、ユーザは容易に適切なタイミングで撮像できるようになる。
【０００７】
また上記目的を達成するため、本発明に係るディジタルカメラは、音源データを記憶する記憶手段と、前記記憶手段に記憶された音源データを再生し放音する放音手段と、前記放音手段に放音開始を指示するための放音指示手段と、撮像開始を指示するための撮像指示手段と、光学系及びイメージセンサを有し、前記撮像指示手段によって撮像開始が指示されると被写体を撮像してディジタル画像を出力する撮像手段と、前記放音指示手段によって放音開始が指示されると被写体の動きに追従して前記光学系を駆動し被写体に焦点を合わせる焦点制御手段と、を備えることを特徴とする。ユーザによって放音開始が指示されてから撮像されるまでの期間中、被写体の動きに追従して光学系を駆動し被写体に焦点を合わせることにより、ユーザは撮像開始を指示するタイミングをとることに集中しやすくなるため、ユーザは容易に適切なタイミングで撮像できるようになる。また、放音が開始された後に光学系の駆動を開始することにより、被写体の動きに追従して光学系を駆動するための消費電力量を低減できる。
【０００８】
さらに本発明に係るディジタルカメラでは、前記放音手段は、前記撮像指示手段によって撮像開始が指示されるまで音源データを繰り返し再生することを特徴とする。撮像開始が指示されるまで音源データを繰り返し再生することにより、被写体の興味をディジタルカメラに引きつけやすくなる。
さらに本発明に係るディジタルカメラでは、前記放音手段は、動物の鳴き声の音源データを記憶していることを特徴とする。動物の鳴き声を放音することにより、動物の興味をディジタルカメラに引きつけやすくなる。
【０００９】
さらに本発明に係るディジタルカメラでは、前記記憶手段は、人間の可聴域外で動物の可聴域内の音の音源データを記憶していることを特徴とする。人間の可聴域外で動物の可聴域内の音を放音することにより、撮像場所に居合わせる他人を気にすることなく動物を適切なタイミングで撮像できるようになる。
さらに本発明に係るディジタルカメラでは、前記記憶手段に記憶された複数の音源データのいずれかを選択する選択手段をさらに備え、前記放音手段は、前記センサ部から撮像準備信号が出力されると前記選択手段によって選択された音源データを再生し放音することを特徴とする。被写体に応じて音源データを選択することにより、被写体の興味をディジタルカメラに引きつけやすくなる。
【００１０】
さらに本発明に係るディジタルカメラでは、前記記憶手段に記憶される音源データを編集する手段をさらに備えることを特徴とする。被写体に応じて音源データを編集することにより、被写体の興味をディジタルカメラに引きつけやすくなる。
また上記目的を達成するため、本発明に係るディジタルカメラは、押しボタンと、前記押しボタンが中間位置に押し込まれると撮像準備信号を出力し前記押しボタンが完全に押し込まれると撮像開始信号を出力するセンサ部とを有する撮像指示手段と、前記センサ部から撮像準備信号が出力されると被写体に向けて発光する発光手段と、前記センサ部から撮像開始信号が出力されると被写体を撮像してディジタル画像を出力する撮像手段と、を備えることを特徴とする。撮像開始を指示するための押しボタンが中間位置に押し込まれたタイミングで発光し、押しボタンが完全に押し込まれたタイミングで被写体を撮像することにより、発光開始から撮像までの時間間隔を被写体の動きに応じてユーザが調整できるようになる。また、押しボタンの押し込み量を増大させるという連続的な操作によって発光開始から撮像までの時間間隔を調整させることにより、ユーザは容易に適切なタイミングで撮像できるようになる。
【００１１】
また上記目的を達成するため、本発明に係るディジタルカメラは、被写体に向けて発光する発光手段と、前記発光手段に発光開始を指示するための発光指示手段と、撮像開始を指示するための撮像指示手段と、光学系及びイメージセンサを有し、前記撮像指示手段によって撮像開始が指示されると被写体を撮像してディジタル画像を出力する撮像手段と、前記発光指示手段によって発光開始が指示されると被写体の動きに追従して前記光学系を駆動し被写体に焦点を合わせる焦点制御手段と、を備えることを特徴とする。ユーザによって発光開始が指示されてから撮像されるまでの期間中、被写体の動きに追従して光学系を駆動し被写体に焦点を合わせることにより、ユーザは撮像開始を指示するタイミングをとることに集中しやすくなるため、ユーザは容易に適切なタイミングで撮像できるようになる。また、発光が開始された後に光学系の駆動を開始することにより、被写体の動きに追従して光学系を駆動するための消費電力量を低減できる。
【００１２】
さらに本発明に係るディジタルカメラでは、前記発光手段は、前記撮像指示手段によって撮像開始が指示されるまで繰り返し発光することを特徴とする。撮像開始が指示されるまで繰り返し発光することにより、被写体の興味をディジタルカメラに引きつけやすくなる。
また上記目的を達成するため、本発明に係るフィルムカメラは、音源データを記憶する記憶手段と、押しボタンと、前記押しボタンが中間位置に押し込まれると撮像準備信号を出力し前記押しボタンが完全に押し込まれると撮像開始信号を出力するセンサ部とを有する撮像指示手段と、前記センサ部から撮像準備信号が出力されると前記記憶手段に記憶された音源データを再生し放音する放音手段と、前記センサ部から撮像開始信号が出力されると被写体を撮像する撮像手段と、を備えることを特徴とする。撮像開始を指示するための押しボタンが中間位置に押し込まれたタイミングで放音し、押しボタンが完全に押し込まれたタイミングで被写体を撮像することにより、放音開始から撮像までの時間間隔を被写体の動きに応じてユーザが調整できるようになる。また、押しボタンの押し込み量を増大させるという連続的な操作によって放音開始から撮像までの時間間隔を調整させることにより、ユーザは容易に適切なタイミングで撮像できるようになる。
【００１３】
また上記目的を達成するため、本発明に係るフィルムカメラは、音源データを記憶する記憶手段と、前記記憶手段に記憶された音源データを再生し放音する放音手段と、前記放音手段に放音開始を指示するための放音指示手段と、撮像開始を指示するための撮像指示手段と、光学系を有し、前記撮像指示手段によって撮像開始が指示されると前記光学系を介して入射する光に記録媒体を感光させる撮像手段と、前記放音指示手段によって放音開始が指示されると被写体の動きに追従して前記光学系を駆動し被写体に焦点を合わせる焦点制御手段と、を備えることを特徴とする。ユーザによって放音開始が指示されてから撮像されるまでの期間中、被写体の動きに追従して光学系を駆動し被写体に焦点を合わせることにより、ユーザは撮像開始を指示するタイミングをとることに集中しやすくなるため、ユーザは容易に適切なタイミングで撮像できるようになる。また、放音が開始された後に光学系の駆動を開始することにより、被写体の動きに追従して光学系を駆動するための消費電力量を低減できる。
【００１４】
また上記目的を達成するため、本発明に係るフィルムカメラは、押しボタンと、前記押しボタンが中間位置に押し込まれると撮像準備信号を出力し前記押しボタンが完全に押し込まれると撮像開始信号を出力するセンサ部とを有する撮像指示手段と、前記センサ部から撮像準備信号が出力されると被写体に向けて発光する発光手段と、前記センサ部から撮像開始信号が出力されると被写体を撮像する撮像手段と、を備えることを特徴とする。撮像開始を指示するための押しボタンが中間位置に押し込まれたタイミングで発光し、押しボタンが完全に押し込まれたタイミングで被写体を撮像することにより、発光開始から撮像までの時間間隔を被写体の動きに応じてユーザが調整できるようになる。また、押しボタンの押し込み量を増大させるという連続的な操作によって発光開始から撮像までの時間間隔を調整させることにより、ユーザは容易に適切なタイミングで撮像できるようになる。
【００１５】
また上記目的を達成するため、本発明に係るフィルムカメラは、被写体に向けて発光する発光手段と、前記発光手段に発光開始を指示するための発光指示手段と、撮像開始を指示するための撮像指示手段と、光学系を有し、前記撮像指示手段によって撮像開始が指示されると前記光学系を介して入射する光に記録媒体を感光させる撮像手段と、前記発光指示手段によって発光開始が指示されると被写体の動きに追従して前記光学系を駆動し被写体に焦点を合わせる焦点制御手段と、を備えることを特徴とする。ユーザによって発光開始が指示されてから撮像されるまでの期間中、被写体の動きに追従して光学系を駆動し被写体に焦点を合わせることにより、ユーザは撮像開始を指示するタイミングをとることに集中しやすくなるため、ユーザは容易に適切なタイミングで撮像できるようになる。また、発光が開始された後に光学系の駆動を開始することにより、被写体の動きに追従して光学系を駆動するための消費電力量を低減できる。
【００１６】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また、本発明は装置の発明として特定できるだけでなく、プログラムの発明としても、そのプログラムを記録した記録媒体の発明としても、方法の発明としても特定することができる。
【００１７】
【発明の実施の形態】
以下、本発明の実施の形態を複数の実施例に基づいて説明する。
（第一実施例）
図２は、本発明の第一実施例に係るカメラとしてのディジタルスチルカメラ１のハードウェア構成を示すブロック図である。
【００１８】
撮像手段としての光学系１１は、レンズ、絞り等で構成されている。光学系１１はイメージセンサ１２の受光面に被写体の光学像を結像させる。
撮像手段としてのイメージセンサ１２は、２次元空間に離散的に配置された受光セルとＣＣＤ（Ｃｈａｒｇｅ  Ｃｏｕｐｌｅｄ  Ｄｅｖｉｃｅ）等の電荷転送素子とを備えたエリアイメージセンサである。イメージセンサ１２は、光学系１１により結像される光学像を光電変換して得られる電荷を受光セル毎に一定時間蓄積し、受光セル毎の受光量に応じた電気信号を出力する。受光面にＣ（Ｃｙａｎ）、Ｍ（Ｍａｇｅｎｔａ）、Ｙ（Ｙｅｌｌｏｗ）及びＧ（Ｇｒｅｅｎ）の４色の補色フィルタ、又はＲ（Ｒｅｄ）、Ｇ（Ｇｒｅｅｎ）及びＢ（Ｂｌｕｅ）の原色フィルタを設けることによりカラー画像を形成することが可能になる。
【００１９】
撮像手段としてのセンサコントローラ１６は、イメージセンサ１２を駆動するために必要な駆動パルスをイメージセンサ１２に出力する駆動回路である。センサコントローラ１６は、例えば同期信号発生器、駆動用タイミングジェネレータ等から構成される。
撮像手段としてのアナログフロントエンド（ＡＦＥ）部１３は、イメージセンサ１２から出力される電気信号を量子化してディジタル信号に変換する。具体的には例えば、出力される電気信号に含まれる雑音の低減処理、ゲインの調整による電気信号のレベル調整処理、量子化処理等を行う。
【００２０】
撮像手段としてのディジタル画像処理部１４は、ＡＦＥ部１３から出力されたディジタル信号に対し、画像形成処理、ホワイトバランス補正、γ補正、色空間変換等を施し、各画素についてＲ、Ｇ、Ｂの階調値や、Ｙ、Ｃｂ、Ｃｒの階調値などを表すディジタル画像を出力する。尚、ここでいう画像形成処理とは、受光セルから出力された一色分の輝度情報を近傍の受光セルの異なる色の輝度情報で補間することにより画素毎にＲＧＢ又はＹＣｂＣｒの３つの階調値を持つディジタル画像を作成する処理である。
【００２１】
圧縮・伸張部１５は、ディジタル画像を圧縮又は伸張する。具体的には、ディジタル画像の系列変換及びエントロピー符号化を行うことによりディジタル画像を圧縮し、それらの逆変換を施すことによりディジタル画像を伸張する。具体的には例えば離散コサイン変換、ウェーブレット変換、ランレングス符号化、ハフマン符号化等を用いてディジタル画像を圧縮する。
【００２２】
選択手段としての操作部２４は、回転角度に応じて撮像モードや再生モード等のモードを設定するためのダイヤルスイッチ、ＬＣＤ２１に表示される各種のメニューを操作するための操作スイッチなどを備える。
撮像指示手段としてのシャッタボタン２２は、押しボタン２２ｂと、センサ部２２ａとしての２段階構成の接点とを有している。センサ部２２ａは押しボタン２２ｂが中間位置に押し込まれると第一段階の接点が接触して撮像準備信号を出力し、押しボタン２２ｂが完全に押し込まれると第二段階の接点が接触して撮像開始信号を出力する。以後の説明では、押しボタン２２ｂが中間位置に押し込まれた状態をハーフシャッタといい、押しボタン２２ｂが完全に押し込まれた状態をフルシャッタというものとする。
【００２３】
ＬＣＤ２１は、ディスプレイコントローラ２０に制御され、撮像モードで電子ビューファインダとして機能する。また、ＬＣＤ２１はディジタルスチルカメラ１の設定、音源データの選択、音源データの編集などを行うための各種のメニューを表示する。
ディスプレイコントローラ２０は、ＬＣＤ２１の一画面分のデータを格納するためのフレームバッファと、フレームバッファに格納されたディジタル画像に基づいてＬＣＤ２１を駆動するための表示回路とを備える。
【００２４】
放音手段としての放音部２３は、ＤＳＰ（Ｄｉｇｉｔａｌ  Ｓｉｇｎａｌ  Ｐｒｏｃｅｓｓｏｒ）２３ａ、Ｄ／Ａコンバータ２３ｂ、アンプ２３ｃ、及びスピーカ２３ｄを備える。ＤＳＰ２３ａは音源データに基づいて音響信号を生成し、Ｄ／Ａコンバータ２３ｂに出力する。Ｄ／Ａコンバータ２３ｂは音響信号をアナログ信号に変換する。アンプ２３ｃはＤ／Ａコンバータ２３ｂから出力された音響信号としてのアナログ信号を増幅してスピーカ２３ｄに発音させる。ＤＳＰ２３ａは制御部から音源データの再生を指示する放音命令が出力されると音源データの再生を開始し、放音終了命令が出力されるまで同じ音源データを繰り返し再生し続ける。
【００２５】
制御部は、ＣＰＵ１９、記憶手段としてのフラッシュメモリ１７、及びワークメモリ１８を備える。ＣＰＵ１９はフラッシュメモリ１７に記憶されているコンピュータプログラムを実行することによりディジタルスチルカメラ１の全体を制御する。また、ＣＰＵ１９はフラッシュメモリ１７に記憶されているコンピュータプログラムを実行することで選択手段、放音手段、及び撮像手段としても機能する。フラッシュメモリ１７は、種々の動物の鳴き声を再生するための制御情報が記述された複数の音源データ、その他各種のプログラムやデータなどを記憶するメモリである。これらのプログラムや各種のデータは、所定のサーバからネットワークを介してダウンロードして入力してもよいし、リムーバブルメモリ等のコンピュータ読み取り可能な記憶媒体から読み出して入力してもよい。ワークメモリ１８は、プログラムやデータを一時的に記憶するためのメモリである。
【００２６】
次に、音源データについて説明する。音源データは動物の鳴き声の音源データである。尚、第一実施例では動物の鳴き声の音源データを例に説明するが、音源データは例えば人間の話し声などであってもよいし、楽器の音などであってもよい。また、音源データは、人間の可聴域外で被写体となる動物の可聴域内の音のデータをであってもよい。
【００２７】
図３は、種々の動物の鳴き声の周波数を示すグラフである。尚、動物は図３に示す以外の動物であってもよく、例えば犬や猫などの鳴き声であってもよい。グラフの白枠は当該動物が聞き取ることのできる周波数の範囲を表しており、網掛け枠は当該動物の鳴き声の周波数の範囲を表している。図示するように人間には２０ＫＨｚ以上の音は聞き取ることができない。これに対し例えばアザラシ類は７０ＫＨｚまでの音を聞くことができる。すなわち、動物がアザラシ類であるとした場合、２０ＫＨｚ以上７０ＫＨｚ以下の音は人間にとって可聴域外の音であり、動物にとっては可聴域内の音である。第一実施例の音源データは、例えばアザラシ類の鳴き声の音源データであれば周波数が２０ＫＨｚ以上７０ＫＨｚ以下の範囲の鳴き声のみが再生されるように記述されている。従ってアザラシ類の鳴き声の音源データを再生した場合、人間はその音を聞き取ることはできず、アザラシ類は聞き取ることができる。他の動物の鳴き声についても同様である。
【００２８】
次に、音源データの選択及び音源データの編集について説明する。
図４（Ａ）は、音源データを選択するためのメニュー画面３１を示す模式図である。ディジタルスチルカメラ１はフラッシュメモリ１７に記憶されている音源データを一意に特定するための情報、具体的には例えば音源データを格納しているファイルのファイル名を一覧表示する。ユーザは操作部２４の十字キー２４ａを操作することでカーソル３２を目的のファイル名に移動させ、移動させた状態でボタン２４ｂを押下することにより音源データを選択することができる。
【００２９】
図４（Ｂ）は、音源データを編集するための編集画面３３を示す模式図である。音源データの編集とは、具体的には例えば音源データの再生ピッチの調整、音程の調整、音量の調整などのことをいう。編集画面３３はメニュー画面３１で目的のファイル名にカーソルを移動させた状態でボタン２４ｃが押下されることにより表示される。編集画面３３には再生ピッチを調整するためのスライダーバー、音程を調整するためのスライダーバー、及び音量を調整するためのスライダーバーが表示される。ユーザは目的の調整項目にカーソル３４を移動させた状態で十字キー２４ａの右端及び／又は左端を押下することで各調整項目の調整を行うことができる。ディジタルスチルカメラ１は編集画面３３が表示されている間は当該ファイル名のファイルに格納されている音源データを繰り返し再生し、ユーザにより調整項目が調整されるとその調整結果を反映して再生する。例えば再生ピッチを早くするよう調整されれば再生ピッチを早くして再生する。このように音源データを再生しつつ調整できるようにすると、ユーザは調整を容易に行うことができる。例えば被写体に実際に音を聞かせてその反応を観察しながら調整を行うことができ、その結果、被写体がより反応し易い音に調整することができる。従って、音源データを放音することの効果を高めることができる。調整後、ユーザによりボタン２４ｂが押下されるとディジタルスチルカメラ１は調整結果を表す編集情報を当該ファイルに対応付けてフラッシュメモリ１７に記憶する。
【００３０】
次に、ディジタルスチルカメラ１の作動について説明する。
図１は、ディジタルスチルカメラ１の作動の流れを示すフローチャートである。
Ｓ１００では、音源データを選択する。具体的には、ユーザが操作部２４を操作することにより選択したファイル名をフラッシュメモリ１７に記憶する。これにより音源データを選択する。この選択の際に、ユーザは必要であれば選択した音源データを編集する。ユーザにより選択された音源データのファイル名はフラッシュメモリ１７に記憶されるため、次回以降はＳ１００での選択は音源データを変更したいときにのみ行えばよい。
【００３１】
Ｓ１０５では、ハーフシャッタの状態を検出する。具体的には、ユーザにより押しボタン２２ｂが中間位置に押し込まれるとセンサ部２２ａから出力される撮像準備信号を制御部で検出する。
ハーフシャッタの状態が検出されると、Ｓ１１０では、音源データを再生する。具体的には、制御部は撮像準備信号を検出するとフラッシュメモリ１７に記憶されているファイル名で特定されるファイルに格納されている音源データを当該ファイルに対応付けられている編集情報に基づいて再生するようにＤＳＰ２３ａに放音命令を出力する。ＤＳＰ２３ａは放音命令が出力されると音源データと編集情報とに基づいて音響信号を生成し、Ｄ／Ａコンバータ２３ｂ及びアンプ２３ｃを介してスピーカ２３ｄに放音させる。これにより、撮像開始を指示するための押しボタン２２ｂが中間位置に押し込まれたタイミングで放音が行われる。ＤＳＰ２３ａはＣＰＵ１９から放音終了命令が出力されるまで同じ音源データを繰り返し再生する。尚、第一実施例では予め音源データを編集しておく場合を例に説明したが、予め編集するのではなく撮影の際に編集するようにしても良い。具体的には例えば再生ピッチを調整するためのつまみや音量を調整するためのつまみなどを備え、Ｓ１００で再生する際にそれらのつまみを調整して編集を行うようにしてもよい。
【００３２】
Ｓ１１５では、フルシャッタの状態を検出する。具体的には、ユーザにより押しボタン２２ｂが完全に押し込まれるとセンサ部２２ａから出力される撮像開始信号を制御部で検出する。
フルシャッタの状態が検出されると、Ｓ１２０では、ＤＳＰ２３ａに放音終了信号を出力して音源データの再生を終了する。
【００３３】
Ｓ１２５では、被写体を撮像してディジタル画像を出力する。具体的には、制御部はＳ１２０で放音終了命令を出力すると直ぐにセンサコントローラ１６、ＡＦＥ部１３、及びディジタル画像処理部１４を制御し、イメージセンサ１２の出力信号に基づいて被写体を表すディジタル画像を作成する。これにより、押しボタン２２ｂが完全に押し込まれたタイミングで被写体が撮像される。作成したディジタル画像は圧縮・伸張部１５に出力されて圧縮され、ワークメモリ１８に記憶される。
【００３４】
以上説明した本発明の第一実施例に係るディジタルスチルカメラ１によると、押しボタン２２ｂが中間位置に押し込まれたタイミングで放音が行われ、押しボタン２２ｂが完全に押し込まれたタイミングで被写体の撮像が行われる。すなわち、撮像は音の再生中の予め決められたタイミングで行われるのではなく、ユーザにより押しボタン２２ｂが完全に押し込まれたタイミングで行われる。このためユーザは、押しボタン２２ｂを完全に押し込むタイミングを調整することで放音開始から撮像までの時間間隔を被写体の動きに応じて調整できる。また、ディジタルスチルカメラ１によると、押しボタン２２ｂの押し込み量を増大させるという連続的な操作によって放音開始から撮像までの時間間隔を調整させる。このため、ユーザは容易に適切なタイミングで撮像できる。
【００３５】
次に、本発明の第一実施例に係るディジタルスチルカメラ１で動物を撮像する場合の効果について説明する。
図５は、被写体として動物を撮像する様子を示す模式図である。図示する例の動物は猫である。また、音源データは猫の鳴き声を記録したものとする。動物の鳴き声を放音すると、動物はその音に興味を抱いて図示するように放音源であるディジタルスチルカメラ１に視線を向ける。すなわち動物の鳴き声を放音すると、動物の興味をディジタルスチルカメラ１に引きつけ易くなる。この結果、動物をその視線がカメラに向いている状態で撮像することが容易になる。また、音源データを繰り返し再生すると、一度だけしか再生しない場合に比べて動物の興味をより確実に且つより長く引きつけ易くなる。また、人間の可聴域外で動物の可聴域内の音を放音すると、撮像場所に居合わせる他人にはディジタルスチルカメラ１が放音する音は聞こえないため、ユーザは他人に気兼ねする必要がない。このためユーザは適切なタイミングが訪れるまで何度でも音源データを再生させながら待つことができる。従って、他人を気にすることなく動物を適切なタイミングで撮像できる。
【００３６】
尚、第一実施例ではディジタルスチルカメラを例に説明したが、ディジタルビデオカメラに本発明を適用してもよいし、ディジタルカメラ付き携帯電話に本発明を適用してもよい。
また、ディジタルスチルカメラ１にマイク等を備え、音源データとして用いる音をユーザが録音できるようにしてもよい。例えば人間の赤ちゃんを被写体にする場合、そのお母さんが赤ちゃんを呼ぶ声を録音した音源データを再生すると、他人の声が再生される音源データに比べて赤ちゃんの興味をディジタルスチルカメラ１により引きつけやすくできる。また例えば犬を被写体にする場合、その犬の飼い主の声やその犬と仲の良い犬の声を録音することで興味を引きつける効果を高めることができる。この場合、人間の可聴領域外の音も録音できることが望ましい。
【００３７】
（第二実施例）
第二実施例は、放音開始が指示されると被写体の動きに追従して光学系を駆動し被写体に焦点を合わせるディジタルカメラの例である。尚、第二実施例では第一実施例と実質的に同一の部分については同一の符号を付して説明を省略する。
図６は、第二実施例に係るディジタルカメラとしてのディジタルスチルカメラ２を示すブロック図である。
【００３８】
撮像指示手段としてのシャッタボタン２７は、押しボタン２７ｂとセンサ部２７ａとを有している。センサ部２７ａは押しボタン２７ｂが押し込まれると撮像開始を指示する電気信号を撮像開始信号として出力する。
放音指示手段としての放音ボタン２６も同様に押しボタン２６ｂとセンサ部２６ａとを有している。センサ部２６ａは押しボタン２６ｂが押し込まれると放音開始を指示する電気信号を放音開始信号として制御部に出力する。
【００３９】
焦点制御手段としての焦点制御部２５は、レンズ１１ａを移動させるステッピングモータ、ステッピングモータを駆動するモータ駆動回路などを備える。
制御部は、ＣＰＵ１９、フラッシュメモリ１７、及びワークメモリ１８を備える。ＣＰＵ１９はフラッシュメモリ１７に記憶されているコンピュータプログラムを実行することで焦点制御手段としても機能する。
【００４０】
次に、焦点制御について説明する。制御部及び焦点制御部２５は、具体的には例えばディジタル画像全体のコントラストの概略値（ＡＦ評価値）を評価しつつレンズ１１ａを移動させる公知のコントラストＡＦ方式によって焦点制御を行う。制御部は、放音開始信号が出力されると撮像開始信号が出力されるまで所定時間間隔で焦点制御を繰り返し行う。焦点制御を繰り返し行うと、焦点を合わせた後に被写体が移動しても、所定時間が経過した後に再びＡＦ評価値を評価してレンズ１１ａを移動させることで被写体に焦点が合い続ける。この間、レンズ１１ａは被写体の移動に合わせて移動することになるため、制御部及び焦点制御部２５は被写体の動きに追従して光学系１１を駆動していることになる。
【００４１】
次に、ディジタルスチルカメラ２の作動について説明する。
図７は、ディジタルスチルカメラ２の作動の流れを示すフローチャートである。
Ｓ２０５では、放音開始の指示を検出する。具体的には、ユーザにより押しボタン２６ｂが押し込まれるとセンサ部２６ａが接触することによって出力される放音開始を指示する放音開始信号を制御部で検出する。
【００４２】
Ｓ２１０では、フラッシュメモリ１７に記憶されている音源データを再生する。具体的には、制御部は放音開始信号を検出するとユーザによって予め選択されている音源データを再生するようにＤＳＰ２３ａに放音命令を出力する。ＤＳＰ２３ａは放音命令が出力されると音源データに基づいて音響信号を生成してスピーカ２３ｄに放音させる。
【００４３】
Ｓ２１５では、被写体の動きに追従して光学系１１を駆動し、被写体をイメージセンサ１２の受光面に結像させる。具体的には、制御部は放音開始信号が出力されると所定時間間隔で焦点制御を繰り返し行う。
Ｓ２２０では、撮像開始の指示を検出する。具体的には、ユーザにより押しボタン２７ｂが押し込まれるとセンサ部２７ａから出力される撮像開始信号を制御部で検出する。
【００４４】
Ｓ２２５では、放音を終了する。具体的には、ＤＳＰ２３ａに放音終了信号を出力して音源データの再生を終了する。
Ｓ２３０では、被写体の動きへの追従を終了する。
Ｓ２３５では、被写体を撮像してディジタル画像を出力する。
以上説明した本発明の第二実施例に係るディジタルスチルカメラ２によると、放音ボタン２６から放音開始信号が出力されてからシャッタボタン２７から撮像開始信号が出力されるまでの期間中、被写体の動きに追従して光学系１１を駆動し被写体に焦点を合わせる。このため、ユーザ自身がマニュアル操作によって焦点を調節する必要がない。従ってユーザは撮像開始を指示するタイミングをとることに集中しやすくなる。よって、ユーザは容易に適切なタイミングで撮像できるようになる。また、ディジタルスチルカメラ２によると、放音が開始された後に光学系１１の駆動を開始する。逆にいうと、放音が開始されるより前は被写体の動きに追従して光学系１１を駆動しない。従って、放音が開始される前から被写体の動きに追従して光学系１１を駆動する場合に比べて消費電力量を低減できる。
【００４５】
尚、第二実施例では放音ボタン２６とシャッタボタン２７とを別々に備える場合を例に説明したが、中間位置に押し込まれると放音開始信号を出力し、完全に押し込まれると撮像開始信号と放音終了信号とを出力するようにシャッタボタン２７を構成し、シャッタボタン２７が放音ボタン２６を兼ねるように構成してもよい。
【００４６】
（第三実施例）
第三実施例は、被写体に向けて発光する発光手段を備えるディジタルカメラの例である。第三実施例のディジタルカメラは、光を発光することにより被写体の興味をディジタルカメラに引きつけ、それにより被写体の視線がカメラに向いている状態で撮像することを容易にするものである。尚、第三実施例では第一及び第二実施例と実質的に同一の部分については同一の符号を付して説明を省略する。
【００４７】
図８は、第三実施例に係るディジタルカメラとしてのディジタルスチルカメラ３を示すブロック図である。
発光手段としての発光部２８は、ＬＥＤなどの光源２８ｂ、光源２８ｂの点灯を制御する発光制御回路２８ａなどで構成される。ここでいう発光部２８とは所謂ストロボとして用いられるものではなく、被写体の興味をディジタルスチルカメラ３に引きつける目的で用いられるものである。
【００４８】
ＣＰＵ１９はフラッシュメモリ１７に記憶されているコンピュータプログラムを実行することで発光手段としても機能し、後述する発光パターンに基づいて発光部２８を制御する。第三実施例のフラッシュメモリ１７には複数の発光パターンが記憶されている。
発光パターンとは、光源２８ｂをどのように発光させるかを定義するものである。具体的には例えば”２秒点灯、１秒消灯”や”０．５秒点灯、０．１秒消灯、０．４秒点灯、０．１秒消灯、０．２秒点灯、０．１秒消灯、・・・”等のように光源２８ｂを点灯させる時間や消灯させる時間を定義した情報のことをいう。
【００４９】
発光パターンについてもユーザは音源データの場合と同様にしていずれかを選択することができ、また、同様に選択された発光パターンを編集することもできる。発光パターンの編集は、具体的には例えば発光する時間や消灯する時間を調整することに相当する。これによりユーザは被写体がより興味を示す発光パターンを編集することができ、発光することの効果を高めることができる。
【００５０】
ディジタルスチルカメラ３の作動については、選択されている音源データを再生する代わりに選択されている発光パターンに基づいて発光する以外は第一実施例と実質的に同一であるため詳細な説明は省略する。
以上説明した本発明の第三実施例に係るディジタルスチルカメラ３によると、撮像開始を指示するための押しボタンが中間位置に押し込まれたタイミングで発光し、押しボタンが完全に押し込まれたタイミングで被写体を撮像することにより、発光開始から撮像までの時間間隔を被写体の動きに応じてユーザが調整できるようになる。
【００５１】
（第四実施例）
第四実施例は、発光開始が指示されると被写体の動きに追従して光学系を駆動し被写体に焦点を合わせるディジタルカメラの例である。尚、第四実施例では第一、第二及び第三実施例と実質的に同一の部分については同一の符号を付して説明を省略する。
【００５２】
図９は、第四実施例に係るディジタルカメラとしてのディジタルスチルカメラ４を示すブロック図である。
発光指示手段としての発光ボタン２９は押しボタン２９ｂとセンサ部２９ａとを有している。センサ部２９ａは押しボタン２９ｂが押し込まれると発光開始を指示する電気信号を発光開始信号として制御部に出力する。
【００５３】
ディジタルスチルカメラ４の作動については、音源データを再生する代わりに発光パターンに基づいて光源２８ｂを発光する以外は第二実施例と実質的に同一であるため詳細な説明は省略する。
以上説明した本発明の第四実施例に係るディジタルスチルカメラ４によると、ユーザによって発光開始が指示されてから撮像されるまでの期間中、被写体の動きに追従して光学系を駆動し被写体に焦点を合わせることにより、ユーザは撮像開始を指示するタイミングをとることに集中しやすくなるため、ユーザは容易に適切なタイミングで撮像できるようになる。また、発光が開始される前から被写体の動きに追従して光学系を駆動する場合に比べて消費電力量を低減できる。
【００５４】
（第五実施例）
第五実施例は、押しボタンが中間位置に押し込まれると音源データを再生して放音し、押しボタンが完全に押し込まれると被写体を撮像するフィルムカメラの例である。尚、第五実施例では第一実施例、第二実施例、第三実施例及び第四実施例と実質的に同一の部分については同一の符号を付して説明を省略する。
【００５５】
図１０は、第五実施例に係るフィルムカメラ５を示すブロック図である。
撮像手段としてのシャッタ制御部４０は、制御部によって制御され、撮像手段としてのシャッタ４１を開閉する。
制御部は、押しボタン２２ｂが完全に押し込まれることにより撮像開始信号が出力されると、シャッタ制御部４０を制御してシャッタ４１を開閉し、光学系１１を介して入射する光に写真フィルムなどの記録媒体４２を感光させる。
【００５６】
フィルムカメラ５の作動については、撮像開始信号が出力されたときに被写体を撮像してディジタル画像を出力するのではなく記録媒体４２を感光させること以外は第一実施例と実質的に同一であるため詳細な説明は省略する。
以上説明した本発明の第五実施例に係るフィルムカメラ５によると、撮像開始を指示するための押しボタン２２ｂが中間位置に押し込まれたタイミングで放音し、押しボタン２２ｂが完全に押し込まれたタイミングで被写体を撮像することにより、放音開始から撮像までの時間間隔を被写体の動きに応じてユーザが調整できるようになる。また、押しボタン２２ｂの押し込み量を増大させるという連続的な操作によって放音開始から撮像までの時間間隔を調整させることにより、ユーザは容易に適切なタイミングで撮像できるようになる。
【００５７】
（第六実施例）
第六実施例は、放音開始が指示されると被写体の動きに追従して光学系を駆動し被写体に焦点を合わせるフィルムカメラの例である。尚、第六実施例では第一実施例、第二実施例、第三実施例、第四実施例、及び第五実施例と実質的に同一の部分については同一の符号を付して説明を省略する。
【００５８】
図１１は、第六実施例に係るフィルムカメラ６を示すブロック図である。
フィルムカメラ６の作動については、撮像開始信号が出力されたときに被写体を撮像してディジタル画像を出力するのではなく記録媒体４２を感光させること以外は第二実施例と実質的に同一であるため詳細な説明は省略する。
以上説明した本発明の第六実施例に係るフィルムカメラ６によると、ユーザによって放音開始が指示されてから撮像されるまでの期間中、被写体の動きに追従して光学系１１を駆動し被写体に焦点を合わせることにより、ユーザは撮像開始を指示するタイミングをとることに集中しやすくなるため、ユーザは容易に適切なタイミングで撮像できるようになる。また、放音が開始された後に光学系１１の駆動を開始することにより、被写体の動きに追従して光学系１１を駆動するための消費電力量を低減できる。
【００５９】
（第七実施例）
第七実施例は、被写体に向けて発光する発光手段を備えるフィルムカメラの例である。尚、第七実施例では第一実施例、第二実施例、第三実施例、第四実施例、第五実施例及び第六実施例と実質的に同一の部分については同一の符号を付して説明を省略する。
【００６０】
図１２は、第七実施例に係るフィルムカメラ７を示すブロック図である。
フィルムカメラ７の作動については、撮像開始信号が出力されたときに被写体を撮像してディジタル画像を出力するのではなく記録媒体４２を感光させること以外は第三実施例と実質的に同一であるため詳細な説明は省略する。
以上説明した本発明の第七実施例に係るフィルムカメラ７によると、撮像開始を指示するための押しボタン２２ｂが中間位置に押し込まれたタイミングで発光し、押しボタン２２ｂが完全に押し込まれたタイミングで被写体を撮像することにより、発光開始から撮像までの時間間隔を被写体の動きに応じてユーザが調整できるようになる。また、押しボタン２２ｂの押し込み量を増大させるという連続的な操作によって発光開始から撮像までの時間間隔を調整させることにより、ユーザは容易に適切なタイミングで撮像できるようになる。
【００６１】
（第八実施例）
第八実施例は、発光開始が指示されると被写体の動きに追従して光学系を駆動し被写体に焦点を合わせるフィルムカメラの例である。尚、第八実施例では第一実施例、第二実施例、第三実施例、第四実施例、第五実施例、第六実施例、及び第七実施例と実質的に同一の部分については同一の符号を付して説明を省略する。
【００６２】
図１３は、第八実施例に係るフィルムカメラ８を示すブロック図である。
フィルムカメラ８の作動については、撮像開始信号が出力されたときに被写体を撮像してディジタル画像を出力するのではなく記録媒体４２を感光させること以外は第四実施例と実質的に同一であるため詳細な説明は省略する。
以上説明した本発明の第八実施例に係るフィルムカメラ８によると、ユーザによって発光開始が指示されてから撮像されるまでの期間中、被写体の動きに追従して光学系１１を駆動し被写体に焦点を合わせることにより、ユーザは撮像開始を指示するタイミングをとることに集中しやすくなるため、ユーザは容易に適切なタイミングで撮像できるようになる。また、発光が開始された後に光学系１１の駆動を開始することにより、被写体の動きに追従して光学系１１を駆動するための消費電力量を低減できる。
【図面の簡単な説明】
【図１】本発明の第一実施例に係るフローチャートである
【図２】本発明の第一実施例に係るブロック図である。
【図３】種々の動物の鳴き声の周波数を示すグラフである。
【図４】（Ａ）及び（Ｂ）は本発明の第一実施例に係る画面を示す模式図である。
【図５】本発明の第一実施例に係る被写体撮像を示す模式図である。
【図６】本発明の第二実施例に係るブロック図である。
【図７】本発明の第二実施例に係るフローチャートである
【図８】本発明の第三実施例に係るブロック図である。
【図９】本発明の第四実施例に係るブロック図である。
【図１０】本発明の第五実施例に係るブロック図である。
【図１１】本発明の第六実施例に係るブロック図である。
【図１２】本発明の第七実施例に係るブロック図である。
【図１３】本発明の第八実施例に係るブロック図である。
【符号の説明】
１  ディジタルスチルカメラ（ディジタルカメラ）、２  ディジタルスチルカメラ（ディジタルカメラ）、３  ディジタルスチルカメラ（ディジタルカメラ）、４  ディジタルスチルカメラ（ディジタルカメラ）、５  フィルムカメラ、６  フィルムカメラ、７  フィルムカメラ、８  フィルムカメラ、１１  光学系（撮像手段）、１２  イメージセンサ（撮像手段）、１３  ＡＦＥ部（撮像手段）、１４  ディジタル画像処理部（撮像手段）、１６  センサコントローラ（撮像手段）、１７  フラッシュメモリ（記憶手段、放音手段、撮像手段、焦点制御手段）、１８  ワークメモリ（放音手段、撮像手段、焦点制御手段）、１９  ＣＰＵ（放音手段、撮像手段、焦点制御手段）、２０  ディスプレイコントローラ、２２  シャッタボタン（撮像指示手段）、２３  放音部（放音手段）、２５  焦点制御部（焦点制御手段）、２６  放音ボタン（放音指示手段）、２７  シャッタボタン（撮像指示手段）、２８  発光部（発光手段）、２９  発光ボタン（発光指示手段）、４０  シャッタ制御部（撮像手段）、４１  シャッタ（撮像手段）、４２  記録媒体
【図１】
2005005842.tif 000003
【図２】
2005005842.tif 000004
【図３】
2005005842.tif 000005
【図４】
2005005842.tif 000006
【図５】
2005005842.tif 000007
【図６】
2005005842.tif 000008
【図７】
2005005842.tif 000009
【図８】
2005005842.tif 000010
【図９】
2005005842.tif 000011
【図１０】
2005005842.tif 000012
【図１１】
2005005842.tif 000013
【図１２】
2005005842.tif 000014
【図１３】
2005005842.tif 000015